(57)【特許請求の範囲】
【請求項１】
相互に直交する３個の面をＸＹ平面、ＸＺ平面、ＹＺ平面とするとき、
前記ＸＺ平面に対し、上方に行くほどＹ軸方向の距離が漸減するように傾斜して正面となる傾斜面と、
前記傾斜面に対向するＸＺ平面である背面と、
前記傾斜面の一方の側のＹＺ平面であり、前記傾斜面および前記背面とそれぞれ一辺を共有する辺を有する右側面と、
前記傾斜面の他方の側のＹＺ平面であり、前記傾斜面および前記背面とそれぞれ他の一辺を共有する他の辺を有する左側面と、
前記傾斜面、前記背面、前記右側面および前記左側面の上端の各辺とそれぞれ一辺を共有する上面と、
前記傾斜面、前記背面、前記右側面および前記左側面の下端の各辺とそれぞれ一辺を共有する底面とを平板状の板材を所定の折線に沿って折り曲げることにより六面体を形成する一方、
前記左側面には、長手方向に伸びる軸を有する長尺状授与品の一点を支持するとともに、前記傾斜面と接する部分が外部に開口した第１の狭窄部となって連続的に奥に伸びる穴である第１の切欠部を有するとともに、前記右側面には、前記Ｚ方向に関する高さ位置が前記第１の切欠部とは異なる高さ位置において、前記長尺状授与品の他の一点を支持するとともに、前記傾斜面と接する部分が外部に開口した第２の狭窄部となって連続的に奥に伸びる穴である第２の切欠部を有し、
さらに前記傾斜面の少なくとも前記第１の切欠部から第２の切欠部に至る部分には前記長尺授与品を嵌め込む為の空間となる経路を形成するとともに、前記傾斜面から前記経路の中央部に下方から上方に向かって一体的に突出して前記経路の一部を覆う凸部を形成したことを特徴とする授与品の飾り台。
【請求項２】
請求項１に記載する授与品の飾り台と、該飾り台の前記空間を貫通して前記第１および第２の切欠部に支持され、前記凸部で一部が覆われた長尺状授与品と、前記長尺状授与品を覆うとともに、前記飾り台の傾斜面を覆うように前記飾り台の傾斜面に配置された平板状授与品とを一体にしたことを特徴とする授与品。
【発明の詳細な説明】
【技術分野】
【０００１】
本発明は授与品の飾り台および授与品に関し、神社等で配られる各種のお札および破魔矢等を飾る場合に用いて有用なものである。
【背景技術】
【０００２】
授与品であるお札とともに一体的に破魔矢を飾るお札立として特許文献１が提案されている。ただ、特許文献1に係るお札立は、お札と破魔矢とを独立して飾る構造となっている。このため、飾るために大きな空間を用意する必要がある。かかる課題を解決するためには、お札と破魔矢とを一体に飾る構造とすることが考えられるが、お札と破魔矢とを単に寄せ集めて飾ったのでは審美性に難がある。すなわち、お札の前方に破魔矢を配して飾ったのではお札に書かれた字を破魔矢が塞いでしまい、お祀りしている意義が半減するような結果を招来する。
【先行技術文献】
【特許文献】
【０００３】
【特許文献１】実用新案登録第３１６７５０７号公報
【発明の概要】
【発明が解決しようとする課題】
【０００４】
本発明は、上記従来技術に鑑み、お札と破魔矢とを狭い空間に一体に飾ることができ、同時に破魔矢によりお札の字が隠されて祀りの意義が減損されることがないよう破魔矢とお札のそれぞれの祀りの意義を十分発揮される飾り方が可能になるような授与品の飾り台および授与品を提供することを目的とする。
【課題を解決するための手段】
【０００５】
上記目的を達成する本発明に係る授与品の飾り台の構成は、
相互に直交する３個の面をＸＹ平面、ＸＺ平面、ＹＺ平面とするとき、
前記ＸＺ平面に対し、上方に行くほどＹ軸方向の距離が漸減するように傾斜して正面となる傾斜面と、
前記傾斜面に対向するＸＺ平面である背面と、
前記傾斜面の一方の側のＹＺ平面であり、前記傾斜面および前記背面とそれぞれ一辺を共有する辺を有する右側面と、
前記傾斜面の他方の側のＹＺ平面であり、前記傾斜面および前記背面とそれぞれ他の一辺を共有する他の辺を有する左側面と、
前記傾斜面、前記背面、前記右側面および前記左側面の上端の各辺とそれぞれ一辺を共有する上面と、
前記傾斜面、前記背面、前記右側面および前記左側面の下端の各辺とそれぞれ一辺を共有する底面とを平板状の板材を所定の折線に沿って折り曲げることにより六面体を形成する一方、
前記左側面には、長手方向に伸びる軸を有する長尺状授与品の一点を支持するとともに、前記傾斜面と接する部分が外部に開口した第１の狭窄部となって連続的に奥に伸びる穴である第１の切欠部を有するとともに、前記右側面には、前記Ｚ方向に関する高さ位置が前記第１の切欠部とは異なる高さ位置において、前記長尺状授与品の他の一点を支持するとともに、前記傾斜面と接する部分が外部に開口した第２の狭窄部となって連続的に奥に伸びる穴である第２の切欠部を有し、
さらに前記傾斜面の少なくとも前記第１の切欠部から第２の切欠部に至る部分には前記長尺授与品を嵌め込む為の空間となる経路を形成するとともに、前記傾斜面から前記経路の中央部に下方から上方に向かって一体的に突出して前記経路の一部を覆う凸部を形成したことを特徴とする。
【０００６】
また、上記目的を達成する本発明に係る授与品の構成は、
上記授与品の飾り台と、該飾り台の前記空間を貫通して前記第１および第２の切欠部に支持され、前記凸部で一部が覆われた長尺状授与品と、前記長尺状授与品を覆うとともに、前記飾り台の傾斜面を覆うように前記飾り台の傾斜面に配置された平板状授与品とを一体にしたことを特徴とする。
【発明の効果】
【０００９】
本発明によれば、手前側から奥行方向に向けて平板状授与品および長尺状授与品を順に並べて配設することができるので、奥行方向に直交する幅方向に広がることなく狭い空間に二種類の授与品を良好に飾ることができる。ここで、長尺状授与品は平板状授与品の奥側にあるので、平板状授与品に書かれた祈祷の文字等が長尺状授与品によって隠蔽されることもなく、それぞれの授与品の意義が棄損されることはない。この結果、平板状授与品と長尺状授与品とを狭い空間に一体に飾ることができ、同時に長尺状授与品により平板状授与品の一部（祈祷の文字等）が隠されて祀りの意義が減損されることはなく、それぞれの祀りの意義が十分発揮される飾り方が可能になる。
【図面の簡単な説明】
【００１０】
【図１】本発明の実施の形態に係る授与品の飾り台、長尺状授与品および平板状授与品が一体となった授与品を示す斜視図である。
【図２】本発明に係る授与品の飾り台を示す斜視図である。
【図３】図２に示す飾り台を展開して示す展開図である。
【図４】図２に示す飾り台の組み立ての際の一工程を示す展開図である。
【図５】図２に示す飾り台の組み立ての際の他の工程を示す展開図である。
【図６】飾り台に破魔矢を飾る時の態様を示す斜視図である。
【図７】飾り台にお札を飾る時の凸部との関係を説明するための概略図である。
【発明を実施するための形態】
【００１１】
以下、本発明の実施の形態を、図面に基づき詳細に説明する。
【００１２】
図１は、本発明の実施の形態に係る授与品の飾り台、長尺状授与品および平板状授与品が一体となった授与品を示す斜視図である。本形態においては、長尺状授与品として破魔矢、平板状授与品としてお札を例に採り説明するが、勿論これらに限定するものではない。長尺状授与品としては、長手方向に伸びる軸を有する飾りであれば良く、平板状授与品としては平板状の部材で形成した授与品であれば、それ以上の限定は必要ない。したがって、前者の例としては、長尺の軸（柄）を有する熊手、後者の例としては、外形形状が異なる各種のお札が考えられる。
【００１３】
図１に示すように、本形態に係る授与品は、飾り台I、長尺状授与品である破魔矢IIおよび平板状授与品であるお札IIIを一体化したものである。ここで、破魔矢IIは飾り台Iの右側面から左側面に斜めに貫通して飾り台Iに飾ってある（詳細は、図６に基づき後に説明する）。お札IIIは飾り台Iの傾斜面（図２参照；以下同じ）にその裏面を当接させて飾り台Iに配設してある。この結果、飾り台Iの手前側から奥側に向かってお札III、破魔矢IIがこの順序で飾り台Iに配設してある。この結果、破魔矢IIとお札IIIとが前後方向で干渉することなく、審美的にも良好に飾り付けられている。
【００１４】
さらに、傾斜面１は、お札１の裏側でお札に取付けられた水引１１（図１、図７参照）を引っかけるよう傾斜面１に一体的に形成された凸部１０を有する。
【００１５】
図２は、本発明に係る授与品の飾り台を示す斜視図である。ここで、同図に示すように、相互に直交する３個の軸をそれぞれＸ，Ｙ，Ｚ軸とし、各軸Ｘ，Ｙ，Ｚで形成する面をＸＹ平面、ＸＺ平面、ＹＺ平面として飾り台Iの面を定義する。
【００１６】
当該飾り台Iの傾斜面１は、ＸＺ平面に対し、上方に行くほどＹ軸方向の距離が漸減するように傾斜して正面となる面である。背面２は、傾斜面１に対向するＸＺ平面である。右側面３は、傾斜面の一方の側（図２では右側）のＹＺ平面であり、傾斜面１および背面２とそれぞれ一辺を共有する辺を有する面である。左側面４は、傾斜面１の他方の側（図２では左側）のＹＺ平面であり、傾斜面１および背面２とそれぞれ他の一辺を共有する他の辺を有する面である。上面５は、傾斜面１、背面２、右側面３および左側面４の上端の各辺とそれぞれ一辺を共有する面である。底面６は、傾斜面１、背面２、右側面３および左側面４の下端の各辺とそれぞれ一辺を共有する面である。すなわち、飾り台Iは傾斜面1を有する6面体である。
【００１７】
左側面３には、長手方向に伸びる軸を有する破魔矢IIの一点を支持するように形成した第１の切欠部７を有するとともに、右側面３には、Ｚ方向に関する高さ位置が第１の切欠部７とは異なる高さ位置において、破魔矢IIの他の一点を支持するように形成した第２の切欠部８を有している。この結果、ＸＺ平面において、第1の切欠部７から第２の切欠部８に至る斜めの経路となる空間９が飾り台Iの内部に形成されている。破魔矢IIは前記経路を利用して第1の切欠部７から第２の切欠部８に至って飾り台Iに飾るようになっている。また、傾斜面１には、破魔矢IIを覆うようにお札IIIの裏面を当接させて飾るように形成してある。
【００１８】
図３は、図２に示す飾り台を展開して示す展開図である。同図に示すように、本形態に係る飾り台Iは、板状のクラフト紙等、適切な強度と可撓性および加工性を兼備する材料を使用してある。図中、１Ａは、傾斜面１の裏面、同様に２Ａは背面２の、３Ａは右側面３の、４Ａ、４’Ａは左側面４、４’の、５Ａは上面５の、６Ａは底面６の裏面をそれぞれ示している。また、３Ｂ、３Ｃ、４Ｂ、４Ｃ、４Ｄ、４Ｅ、５Ｂ、５Ｃ、６Ｂは折代であり、４’Ｄ、４’Ｅは切込みである。切込み４’Ｄ、４’Ｅには組み立て時に折代４Ｄ、４Ｅが挿入される。また、突出部６Ｃは組み立て時に底面６からＹ軸（図２参照）方向前方に突出し、お札III（図１参照；以下、同じ）の下端面が接してこのお札IIIを展示する。
【００１９】
このように展開された飾り台Ｉは裏面１Ａと裏面２Ａ、裏面３Ａと裏面４Ａ，４’Ａ、４’Ｅ、裏面５Ａと裏面６Ａがそれぞれ相対向するように折り曲げて所定の六面体を形成していく。
【００２０】
図４は、図２に示す飾り台の組み立ての際の、図３の次の工程を示す展開図である。同図中、図３と同一部分には同一番号を付し、重複する説明は省略する。ここで、左側面は傾斜面１の左端部から裏面側に直角に折れ曲がる左側面４と、裏面２の左端部から傾斜面側に直角に折れ曲がる左側面４’を２枚重ねにしたうえで、切込み４’Ｄ、４’Ｅに折代４Ｄ、４Ｅを挿入して形成する。この結果、第２の切欠き部８も左側面４、４’にそれぞれ形成されたものが合わさって形成される。
【００２１】
図５は、図２に示す飾り台の組み立ての際の最後の工程を示す展開図である。同図中、図３、図４と同一部分には同一番号を付し、重複する説明は省略する。当該工程で、折代４Ｄを切込み４’Ｄに挿入するとともに折代４Ｅを切込み４’Ｅに挿入する等、各折代４Ａ〜６Ｂを適宜所定の切込みに挿入することで飾り台Iを完成する。
【００２２】
図６は飾り台に破魔矢を飾る時の態様を示す斜視図である。同図に示すように破魔矢IIは、その軸１２部分を傾斜面１の外側から背面２側に移動させて第１および第２の切欠き部７，８に挿入する。このことにより第１および第２の切欠き部８に斜めに支持させる。このとき凸部１０が破魔矢IIを挿入する際の空間９に至る経路の途中の障害物とならないように凸部１０の部分を折り曲げることで破魔矢IIの挿入を担保する。この点に関しては後に詳述する。
【００２３】
図７は、飾り台Iにお札IIIを飾る時の凸部との関係を説明するための概略図である。同図に示すように、本形態においては、飾り台Iの傾斜面１にお札IIIを配設する際にお札IIIの裏側の水引１１を凸部１０に引っかける。このことでお札IIIが前方に倒れる等の不都合を未然に防止して安定にお札IIIを飾ることができる。
【００２４】
本形態では、上述の如く傾斜面１に凸部１０を形成したので、この凸部１０を利用してお札IIIと一体となっている水引１１をその裏側で凸部１０に引っかけることができ、安定してお札IIIを飾ることができる。しかしながら、破魔矢IIを飾る場合には、凸部１０の存在が飾りつけの際の障害となる場合がある。すなわち、破魔矢IIは、基本的には長手方向に伸びる軸１２の一端（基端）に矢羽根１３を取り付けてなる。この場合には、軸１２の径は一定であるので、軸１２の先端部を第１の切欠部７から飾り台Iの内部に至り、第２の切欠き部８から外部に突出させて飾ることが可能である。
【００２５】
これに対し、軸１２の他端（先端）に鏑１４を有する鏑矢の場合は、第１の切欠部７の径を鏑１４の径に合わせて大きくする必要があるので、現実的ではない。最終的に飾り付けた場合、第１および第２の切欠部７，８と破魔矢IIの軸１２の外周面との間の隙間が大きく不必要な遊びが生じてしまうからである。
【００２６】
かかる問題は、破魔矢IIを飾り台Iに飾る際、破魔矢IIを第１の切欠部７から第２の切欠部８に向かってその軸方向に移動させるのではなく、飾り台Iの表面に開口する空間である第１の切欠部７から第２の切欠部８に向かう経路を形成しておくことで解決し得る。破魔矢IIを外部から傾斜面1に向けて移動し、前記経路に破魔矢IIの軸１２を挿入するとともに、一部を第1および第２の切欠部７，８に支持させて飾ることができるからである。
【００２７】
ところが、本形態の如く凸部１０を有する場合には、破魔矢IIを経路に挿入する際に、破魔矢IIの軸１２と凸部１０とが干渉する場合が考えられる。そこで、この場合には、凸部１０の部分を傾斜面１から外側に向けて折り曲げ、干渉状態を回避した状態で破魔矢IIを第1および第２の切欠部７，８の間で支持させるようにすれば良い。
【符号の説明】
【００２８】
Ｉ      飾り台
II      破魔矢
III      お札
１      傾斜面
２      背面
３      右側面
４      左側面
５      上面
６      底面
７      第１の切欠部
８      第２の切欠部
９      空間
１０      凸部
１１      水引
【要約】      （修正有）【課題】お札と破魔矢とを狭い空間に一体に飾ることができる授与品の飾り台を提供する。【解決手段】傾斜面、背面、右側面３、左側面、上面および底面を有する六面体である授与品の飾り台Ｉであって、左側面には、長手方向に伸びる軸を有する長尺状授与品（破魔矢II、お札III）の少なくとも一点を支持するように形成した第１の切欠部７を有するとともに、前記右側面には、Ｚ方向に関する高さ位置が前記第１の切欠部とは異なる高さ位置において、前記長尺状授与品の少なくとも他の一点を支持するように形成した第２の切欠部を有し、さらに前記傾斜面は、前記第１の切欠部と第２の切欠部に当接して前記右側面および左側面に斜めに支持されている前記長尺状授与品を覆うようにお札状の平板状授与品の裏面を当接させて飾るように形成したものである。【選択図】図１【図１】
0006809743.tif 000002
【図２】
0006809743.tif 000003
【図３】
0006809743.tif 000004
【図４】
0006809743.tif 000005
【図５】
0006809743.tif 000006
【図６】
0006809743.tif 000007
【図７】
0006809743.tif 000008